(57)【要約】【課題】本発明は、安価にかつ高精度なキャリブレーションを支援するキャリブレーション支援プログラム及び複合装置に関する。【解決手段】プリントシステムＰＳは、コンピュータ２に搭載されたキャリブレーション支援プログラムの処理として、コンピュータ２が、キャリブレーション対象の複合装置１のプリンタ機構部で印刷出力した当該プリンタ機構部のキャリブレーション用の濃度値が既知のカラーのリファレンスチャート１１と当該プリンタ機構部で印刷出力したカラーの測定チャート１０を同時に複合装置１のスキャナ機構部で読み取って得られたイメージファイル及びリファレンスチャート１１の濃度値に基づいて当該プリンタ機構部の現状のガンマ曲線を算出して複合装置１に送り、複合装置１が当該ガンマ曲線に基づいてプリンタ機構部のキャリブレーションを実施する。【選択図】          図１
2006253743.tif 000002
【特許請求の範囲】
【請求項１】
コンピュータに搭載され、プリンタ機構部とスキャナ機構部を備えた複合装置の当該プリンタ機構部の現状のガンマ曲線を算出して当該複合装置のキャリブレーションを支援するキャリブレーション支援プログラムであって、前記複合装置のプリンタ機構部で印刷出力した当該プリンタ機構部のキャリブレーション用の濃度値が既知のカラーのリファレンスチャートと当該プリンタ機構部で印刷出力したカラーの測定チャートを同時に当該複合装置の前記スキャナ機構部で読み取って得られたイメージファイル及び前記リファレンスチャートの濃度値に基づいて前記プリンタ機構部の現状のガンマ曲線を算出することを特徴とするキャリブレーション支援プログラム。
【請求項２】
前記キャリブレーション支援プログラムは、前記リファレンスチャートの濃度値が、前記複合装置のメーカ、メーカ関連企業から当該リファレンスチャートに対応させて取得した濃度値または当該複合装置の設置時に測定された濃度値であることを特徴とするキャリブレーション支援プログラム。
【請求項３】
前記キャリブレーション支援プログラムは、前記算出したガンマ曲線を前記コンピュータから前記複合装置に印刷ジョブとして送信させることを特徴とする請求項１または請求項２記載のキャリブレーション支援プログラム。
【請求項４】
プリンタ機構部とスキャナ機構部を備えた複合装置において、当該プリンタ機構部で印刷出力した当該プリンタ機構部のキャリブレーション用の濃度値が既知のカラーのリファレンスチャートと当該プリンタ機構部で印刷出力したカラーの測定チャートを同時に前記スキャナ機構部で読み取って得られたイメージファイル及び前記リファレンスチャートの濃度値に基づいて前記プリンタ機構部の現状のガンマ曲線を算出するキャリブレーション支援プログラムを搭載するコンピュータから前記算出されたガンマ曲線が入力され、当該入力されるガンマ曲線に基づいて前記プリンタ機構部を適宜の目的に合わせてキャリブレーションすることを特徴とする複合装置。
【請求項５】
前記複合装置は、前記コンピュータから入力された過去の所定数のガンマ曲線を内部メモリに保存することを特徴とする請求項４記載の複合装置。
【請求項６】
前記複合装置は、前記コンピュータから入力される今回のガンマ曲線によるキャリブレーション結果と前記所定数の過去のガンマ曲線によるキャリブレーション結果を反映したサンプルを前記プリンタ機構部から印刷出力することを特徴とする請求項５記載の複合装置。
【請求項７】
前記複合装置は、前記コンピュータから入力される今回のガンマ曲線によるキャリブレーション結果と前記所定数の過去のガンマ曲線によるキャリブレーション結果を、それぞれ識別する識別コードに関連付けて管理し、前記キャリブレーション支援プログラムを搭載するコンピュータから当該識別コードが入力されると、当該識別コードで指定された前記キャリブレーション結果を有効にすることを特徴とする請求項４から請求項６のいずれかに記載の複合装置。
【発明の詳細な説明】
【技術分野】
【０００１】
本発明は、キャリブレーション支援プログラム及び複合装置に関し、詳細には、設置環境の温・湿度等の環境条件や経時変化等による印刷特性の変化に対して、安価にかつ高精度なキャリブレーション処理を支援するキャリブレーション支援プログラム及び複合装置に関する。
【背景技術】
【０００２】
一般的に、プリンタ装置は、設置環境の温度や湿度等の環境条件によって印刷特性が変化したり、環境条件の他にも、経時変化によって印刷特性が変化することがある。例えば、電子写真方式のプリンタ装置の場合、感光ドラムの感光特性が環境条件や使用による経時変化によって変化し、印刷出力された画像の階調性等の印刷特性が意図する画像から変化する。また、例えば、インクジェット方式のプリンタ装置では、プリントヘッドの吐出特性の変化によって印刷特性が変化する。
【０００３】
そして、従来から、上述のような印刷特性の変化に適切に対処して、常に安定した画像を記録出力するために、キャリブレーションが行われている。
【０００４】
このキャリブレーションでは、一般的に、まず、キャリブレーションの対象となるプリンタ装置に所定の濃度毎のパッチをプリントさせ、このパッチのプリントをスキャナ等の読取装置で読み取らせて、この読取結果に基づいてキャリブレーションデータを作成している。
【０００５】
ところが、パッチのプリントを読み取る際のスキャナによる読み取りの精度が不充分であるため、プリント出力されたパッチに生じている印刷特性の変化を十分に検出できない場合があり、その結果、キャリブレーションも不適切なものになるという問題があった。
【０００６】
そして、本出願人は、先に、画像読取手段と画像出力手段を備えた画像形成装置において、基準濃度のパッチを複数形成した濃度調整用シートを印刷して、当該濃度調整用シートを読み取って、当該読み取って得られたパットの濃度から画像を形成する際の濃度変換特性を変更する画像形成装置及び画像形成方法を提案している（特許文献１参照）。
【０００７】
【特許文献１】特開２００４−２２６８４４号公報
【発明の開示】
【発明が解決しようとする課題】
【０００８】
しかしながら、上記従来技術にあっては、精度の高い高価な測色計や濃度計を必要としないが、画像形成装置の画像読取手段の経時変化や不特定要素による読取値のバラツキが発生し、高精度にキャリブレーションを実施する上で、改良の必要があった。
【０００９】
そこで、本発明のキャリブレーション支援プログラムは、汎用のコンピュータに搭載され、キャリブレーション対象の複合装置のプリンタ機構部の現状のガンマ曲線を算出することにより、高精度かつ安価にキャリブレーションを支援するキャリブレーション支援プログラムを提供することを目的としている。
【００１０】
本発明の複合装置は、ガンマ曲線を算出するキャリブレーション支援プログラムを搭載するコンピュータから当該算出されたガンマ曲線が入力されると、当該入力されるガンマ曲線に基づいてプリンタ機構部を適宜の目的に合わせてキャリブレーションすることにより、経時変化や消耗品の交換等で複合装置の濃度特性が変動しても、安価にかつ高精度に狙いとする濃度特性にあわせ、常に安定した出力画像を得ることのできる複写装置を提供することを目的としている。
【課題を解決するための手段】
【００１１】
請求項１記載の発明のキャリブレーション支援プログラムは、コンピュータに搭載され、プリンタ機構部とスキャナ機構部を備えた複合装置の当該プリンタ機構部の現状のガンマ曲線を算出して当該複合装置のキャリブレーションを支援するキャリブレーション支援プログラムであって、前記複合装置のプリンタ機構部で印刷出力した当該プリンタ機構部のキャリブレーション用の濃度値が既知のカラーのリファレンスチャートと当該プリンタ機構部で印刷出力したカラーの測定チャートを同時に当該複合装置の前記スキャナ機構部で読み取って得られたイメージファイル及び前記リファレンスチャートの濃度値に基づいて前記プリンタ機構部の現状のガンマ曲線を算出することにより、上記目的を達成している。
【００１２】
この場合、例えば、請求項２に記載するように、前記キャリブレーション支援プログラムは、前記リファレンスチャートの濃度値が、前記複合装置のメーカ、メーカ関連企業から当該リファレンスチャートに対応させて取得した濃度値または当該複合装置の設置時に測定された濃度値であってもよい。
【００１３】
また、例えば、請求項３に記載するように、前記キャリブレーション支援プログラムは、前記算出したガンマ曲線を前記コンピュータから前記複合装置に印刷ジョブとして送信させてもよい。
【００１４】
請求項４記載の発明の複合装置は、プリンタ機構部とスキャナ機構部を備えた複合装置において、当該プリンタ機構部で印刷出力した当該プリンタ機構部のキャリブレーション用の濃度値が既知のカラーのリファレンスチャートと当該プリンタ機構部で印刷出力したカラーの測定チャートを同時に前記スキャナ機構部で読み取って得られたイメージファイル及び前記リファレンスチャートの濃度値に基づいて前記プリンタ機構部の現状のガンマ曲線を算出するキャリブレーション支援プログラムを搭載するコンピュータから前記算出されたガンマ曲線が入力され、当該入力されるガンマ曲線に基づいて前記プリンタ機構部を適宜の目的に合わせてキャリブレーションすることにより、上記目的を達成している。
【００１５】
この場合、例えば、請求項５に記載するように、前記複合装置は、前記コンピュータから入力された過去の所定数のガンマ曲線を内部メモリに保存するものであってもよい。
【００１６】
また、例えば、請求項６に記載するように、前記複合装置は、前記コンピュータから入力される今回のガンマ曲線によるキャリブレーション結果と前記所定数の過去のガンマ曲線によるキャリブレーション結果を反映したサンプルを前記プリンタ機構部から印刷出力するものであってもよい。
【００１７】
さらに、例えば、請求項７に記載するように、前記複合装置は、前記コンピュータから入力される今回のガンマ曲線によるキャリブレーション結果と前記所定数の過去のガンマ曲線によるキャリブレーション結果を、それぞれ識別する識別コードに関連付けて管理し、前記キャリブレーション支援プログラムを搭載するコンピュータから当該識別コードが入力されると、当該識別コードで指定された前記キャリブレーション結果を有効にするものであってもよい。
【発明の効果】
【００１８】
本発明のキャリブレーション支援プログラムによれば、汎用のコンピュータに搭載され、キャリブレーション対象の複合装置のプリンタ機構部で印刷出力したプリンタ機構部のキャリブレーション用の濃度値が既知のカラーのリファレンスチャートと当該プリンタ機構部で印刷出力したカラーの測定チャートを同時に当該複合装置のスキャナ機構部で読み取って得られたイメージファイル及びリファレンスチャートの濃度値に基づいて当該プリンタ機構部の現状のガンマ曲線を算出するので、高精度なキャリブレーションを安価に支援することができる。
【００１９】
本発明の複合装置によれば、ガンマ曲線を算出するキャリブレーション支援プログラムを搭載するコンピュータから当該算出されたガンマ曲線が入力されると、当該入力されるガンマ曲線に基づいてプリンタ機構部を適宜の目的に合わせてキャリブレーションするので、経時変化や消耗品の交換等で複合装置の濃度特性が変動しても、安価にかつ高精度に狙いとする濃度特性にあわせることができ、常に安定した出力画像を得ることができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図３は、本発明のキャリブレーション支援プログラム及び複合装置の一実施例を示す図であり、図１は、本発明のキャリブレーション支援プログラム及び複合装置の一実施例を適用した複合装置１の適用されるプリントシステムＰＳのシステム構成図である。
【００２２】
図１において、プリントシステムＰＳは、複合装置１とコンピュータ２とがネットワーク３を介して接続されている。なお、複合装置１とコンピュータ２とは、ネットワーク３を介して接続されるものに限るものではなく、１対１で接続されていてもよい。
【００２３】
複合装置１は、プリンタ機構部とスキャナ機構部を備えており、後述するキャリブレーション処理を実行するキャリブレーションプログラムを搭載している。
【００２４】
複合装置１のプリンタ機構部は、ネットワーク３を介して接続されているコンピュータ２から送られてくるカラー印刷データに基づいて当該カラー印刷データに対応するカラー画像を用紙に印刷出力するとともに、後述するキャリブレーション処理で使用するリファレンスチャート１１及び測定チャート１０を印刷出力する。
【００２５】
複合装置１は、後述するキャリブレーションを実行するのに使用する測定チャート１０のデータを内部メモリに内蔵して、操作部からの指示、あるいは、コンピュータ２からの指示に応じて当該測定チャート１０を印刷出力する。また、この測定チャート１０のデータは、コンピュータ２が格納していて、コンピュータ２が測定チャート１０のデータとともに印刷指示を複合装置１に送って、複合装置１で測定チャート１０を印刷出力させてもよい。
【００２６】
この測定チャート１０は、例えば、その上部（図１では左側に記載されている。）に、後述するリファレンスチャート１１を貼り付けるリファレンスチャート領域１０ａが空けられ、そのリファレンスチャート領域１０ａの側部に、Ｋ（ブラック）、Ｃ（シアン）、Ｍ（マゼンタ）、Ｙ（イエロー）の各色のパッチが、順次所定の濃度間隔で配列されたデータを、複合装置１で印刷出力したものである。
【００２７】
リファレンスチャート１１は、Ｋ、Ｃ、Ｍ、Ｙの単色からなり、各色のベタ（１００％）から白に向かって段階的にその濃度が変化し、その濃度値が既知であるパッチが描画されたものである。このリファレンスチャート１１の各色の濃度変化の段階は、細かいほうがより精度の高い近似式を作成することが可能となるが、計算量が多くなるため、処理時間が長くなる。
【００２８】
このリファレンスチャート１１の各パッチの濃度値は、予め測色計や濃度計で計測したものを入手して、複合装置１の電源がオフのときにもその記憶内容を保持する不揮発性メモリあるいは／及びコンピュータ２の内部メモリ、複合装置１及び／またはコンピュータ２に接続して読取／書込可能な外部メモリ（例えば、フロッピィディスク、メモリカード等）等に格納されている。例えば、複合装置１のメーカまたはメーカサポートあるいは販売店にリファレンスチャート１１を送付して、濃度測定結果とともに返却してもらうか、複合装置１をサービスマンにより設置された場合には、その場で、リファレンスチャートの出力及び濃度測定を行った濃度値を、上記不揮発性メモリ等に格納する。
【００２９】
また、このリファレンスチャート１１は、退色しないように厳重に保管する必要があり、上記測定チャート１０のリファレンスチャート領域１０ａに貼り付けられる。
【００３０】
複合装置１のスキャナ機構部は、原稿、特に、複合装置１のプリンタ機構部で印刷出力されてリファレンスチャート１１がリファレンスチャート領域１０ａに貼り付けられた測定チャート１０を所定の高解像度で読み取り、複合装置１は、このスキャナ機構部で読み取った測定チャート１０の画像データを、カラーの画像データとしてコンピュータ２に出力する。複合装置１は、スキャナ機構部がリファレンスチャート１１の貼り付けられた測定チャート１０を高解像度で読み取った画像データを、圧縮を行わずに、各ドットのＲ（レッド）、Ｇ（グリーン）、Ｂ（ブルー）が取得可能な形式でコンピュータ２に転送して、コンピュータ２でこの画像データを一旦ハードディスク等のメモリに保存する。
【００３１】
コンピュータ２は、文書や図形等の各種データを編集・加工するアプリケーションソフトウェアやプリンタドライバ等を搭載しており、ＯＳ（Operating System）上で動作するアプリケーションソフトウェアで作成されて印刷指示された文章データをプリンタドライバを介して印刷データとして、ネットワーク３を介して複合装置１に転送する。
【００３２】
そして、コンピュータ２は、複合装置１のキャリブレーションを支援するキャリブレーション支援プログラムを搭載しており、このキャリブレーション支援プログラムが実行されることで、後述するガンマ曲線を算出して、複合装置１に送る。
【００３３】
複合装置１は、キャリブレーションモード時に、ネットワーク３を介してコンピュータ２からガンマ曲線が転送されてくると、当該ガンマ曲線に基づいてキャリブレーションを実行する。
【００３４】
次に、本実施例の作用を説明する。本実施例の複合装置１は、複合装置１のプリンタ機構部で出力した測定チャート１０にリファレンスチャート１１を貼り付けてスキャナ機構部で読み取った測定チャートデータを、コンピュータ２が複合装置１から取り込んで、コンピュータ２が、その搭載するキャリブレーション支援プログラムの処理として、当該データから複合装置１の現状のガンマ曲線を算出して、複合装置１に送り、複合装置１が当該ガンマ曲線に基づいてキャリブレーションを実施する。
【００３５】
すなわち、複合装置１のキャリブレーションを行うには、図２に示すように、まず、リファレンスチャート１１及び当該リファレンスチャート１１の濃度測定結果を準備する（ステップＳ１０１）。
【００３６】
このリファレンスチャート１１の濃度測定結果がコンピュータ２に保存されているときには、図３に示すコンピュータ２のプリンタドライバの操作画面２Ｇで、リファレンスチャート濃度値の設定項目２Ｇａでリファレンスチャート１１の濃度測定結果のファイルを指定することで、リファレンスチャート１１の濃度測定結果のファイルを準備することができる。
【００３７】
次に、濃度測定用の測定チャート１０の印刷出力を、複合装置１自体で指示するか、あるいは、図３に示すコンピュータ２のプリンタドライバの操作画面２Ｇの濃度測定用チャート出力項目２Ｇｂを操作することで、測定チャート１０の印刷出力を指示し（ステップＳ１０２）、複合装置１は、測定チャート１０の印刷指示があると、測定チャート１０を印刷出力する。
【００３８】
測定チャート１０が印刷出力されると、測定チャート１０のリファレンスチャート領域１０ａに、Ｋ、Ｃ、Ｍ、Ｙの濃度値が既知であって段階的に濃度の変化するパッチの並んでいるリファレンスチャート１１を貼り付けて、当該リファレンスチャート１１の貼り付けられている測定チャート１０を複合装置１のスキャナ機構部にセットして、図３のプリンタドライバの操作画面２Ｇのスキャナの使用項目２Ｇｃの読み込みボタンを操作して、複合装置１のスキャナ機能部に、リファレンスチャート１１の貼り付けられている測定チャート１０を読み取らせる（ステップＳ１０３）。または、すでに複合装置１のスキャナ機構部で読み取ったリファレンスチャート１１の貼り付けられている測定チャート１０の画像データが、コンピュータ２のハードディスク等の内部メモリに蓄積されているときには、図３のプリンタドライバの操作画面２Ｇのイメージフル読み込み項目２Ｇｄを指定するようにしてもよい。この場合には、コンピュータ２と複合装置１とが直接接続されている必要がない。
【００３９】
複合装置１のスキャナ機構部は、リファレンスチャート１１の貼り付けられている測定チャート１０を読み取る場合には、所定の高解像度で読み取って、各ドットのＲＧＢを取得可能な画像データとしてコンピュータ２に出力し、コンピュータ２は、この画像データを圧縮を行わずに各ドットのＲ（レッド）、Ｇ（グリーン）、Ｂ（ブルー）が取得可能な形式で、一旦メモリに保存する。
【００４０】
そして、コンピュータ２は、操作画面２Ｇのガンマ値計算項目２Ｇｅのボタンが押されることで、上記メモリに予め格納されているリファレンスチャート１１の各色の濃度値と、画像データのリファレンスチャート１１部分の各色の各パッチのＲＧＢ値とから濃度値を求めるための近似式を求める（ステップＳ１０４）。
【００４１】
コンピュータ２は、得られた近似式を使用して、イメージ画像内の測定チャート１０部分の濃度値を導いてガンマ値（ガンマ曲線）を算出（変換）し（ステップＳ１０４）、この得られたガンマ値（ガンマ曲線）を印刷ジョブとして複合装置１に送信して、複合装置１のメモリに保存する（ステップＳ１０５）。
【００４２】
複合装置１は、狙いの濃度特性になるようにガンマの作成及び保存を行い（ステップＳ１０６）、サンプル出力が指示されたかチェックする（ステップＳ１０７）。
【００４３】
ステップＳ１０７で、操作画面２Ｇのサンプル出力項目２Ｇｆのボタンが押されてサンプル出力が指示されると、コンピュータ２は、複合装置１に、今回のガンマ値によるキャリブレーション結果を反映したサンプルと過去数回分のキャリブレーション結果を反映したサンプルを、１枚の用紙に印刷出力させる。このサンプルには、キャリブレーションＩＤと各キャリブレーション結果に対応したデータＩＤも一緒に印字される。
【００４４】
なお、ステップＳ１０７で、サンプル出力がキャンセルされると、そのまま処理を終了する。
【００４５】
そして、出力されたサンプルから適用するキャリブレーションが選択されるが（ステップＳ１０８）、適用するキャリブレーション結果が無い場合は、キャンセルボタンが押されることで、処理を終了する。
【００４６】
サンプルのキャリブレーションＩＤが、操作画面２ＧのキャリブレーションＩＤ項目２Ｇｇに入力され、また、選択されたキャリブレーション結果に対応するデータＩＤが、操作画面２ＧのデータＩＤ項目２Ｇｈに入力されて、操作画面２Ｇの適用ボタン２Ｇｉが押下されると（ステップＳ１０９）、当該選択されたキャリブレーション結果を複合装置１に反映させて、濃度特性を更新する（ステップＳ１０）。
【００４７】
そして、サンプル内のキャリブレーションＩＤとキャリブレーション結果に対応したデータＩＤを入力することにより、随時選択したキャリブレーション結果を複合装置１のプリンタ機能部に反映させることができる。
【００４８】
このように、本実施例のキャリブレーション支援プログラムは、汎用のコンピュータ２に搭載され、キャリブレーション対象の複合装置１のプリンタ機構部で印刷出力した当該プリンタ機構部のキャリブレーション用の濃度値が既知のカラーのリファレンスチャート１１と当該プリンタ機構部で印刷出力したカラーの測定チャート１０を同時に複合装置１のスキャナ機構部で読み取って得られたイメージファイル及びリファレンスチャート１１の濃度値に基づいて当該プリンタ機構部の現状のガンマ曲線を算出している。
【００４９】
したがって、複数の複合装置１に対して、高精度なキャリブレーションを安価に支援することができる。
【００５０】
また、本実施例のキャリブレーション支援プログラムは、リファレンスチャートの濃度値として、複合装置１のメーカまたはメーカサポートあるいは販売店にリファレンスチャート１１を送付して、濃度測定結果とともに返却してもらうか、複合装置１をサービスマンにより設置された場合には、その場で、リファレンスチャートの出力及び濃度測定を行った濃度値を、不揮発性メモリ等に格納した濃度値を用いている。
【００５１】
したがって、より一層安価で高精度の近似曲線を作成することができ、より一層精度の高いガンマ曲線を容易に算出することができる。
【００５２】
さらに、本実施例のキャリブレーション支援プログラムは、算出したガンマ曲線をコンピュータ２から複合装置１に印刷ジョブとして送信させている。
【００５３】
したがって、コンピュータを接続した通常の印刷環境さえあれば、当該コンピュータにキャリブレーション支援プログラムを搭載することで、当該印刷環境を利用して、高精度なキャリブレーションを行わせることができる。
【００５４】
また、本実施例の複合装置１は、プリンタ機構部で印刷出力した当該プリンタ機構部のキャリブレーション用の濃度値が既知のカラーのリファレンスチャート１１と当該プリンタ機構部で印刷出力したカラーの測定チャート１０を同時に複合装置１のスキャナ機構部で読み取って得られたイメージファイル及びリファレンスチャート１１の濃度値に基づいてプリンタ機構部の現状のガンマ曲線を算出するキャリブレーション支援プログラムを搭載するコンピュータ２から当該算出されたガンマ曲線が入力され、当該入力されるガンマ曲線に基づいてプリンタ機構部を適宜の目的に合わせてキャリブレーションを行っている。
【００５５】
したがって、経時変化や消耗品の交換等で複合装置１の濃度特性が変動しても、狙いとする濃度特性に安価かつ高精度に合わせることでき、常に安定した出力画像を得ることができる。
【００５６】
さらに、本実施例の複合装置１は、コンピュータ２から入力された過去の所定数のガンマ曲線を内部メモリに保存している。
【００５７】
したがって、複合装置１が複数の人によって共有されていても、一時的にキャリブレーションを適用したり、また、過去のキャリブレーション結果を反映させて統一した出力を得ることができる。
【００５８】
また、本実施例の複合装置１は、コンピュータ２から入力される今回のガンマ曲線によるキャリブレーション結果と所定数の過去のガンマ曲線によるキャリブレーション結果を反映したサンプルをプリンタ機構部から印刷出力している。
【００５９】
したがって、過去のキャリブレーション結果を含めて日付等の情報のみで、適切なキャリブレーションを選択して、よりインクリメントするキャリブレーションを容易に実施させることができる。
【００６０】
さらに、本実施例の複合装置１は、コンピュータ２から入力される今回のガンマ曲線によるキャリブレーション結果と所定数の過去のガンマ曲線によるキャリブレーション結果を、それぞれ識別する識別コードであるキャリブレーションＩＤに関連付けて管理し、キャリブレーション支援プログラムを搭載するコンピュータ２からキャリブレーションＩＤが入力されると、当該キャリブレーションＩＤで指定されたキャリブレーション結果を有効にする。
【００６１】
したがって、双方向通信が可能なインターフェースや新たにアプリケーションをインストールすることなく、印刷を行える環境さえあれば、複合装置１にコンピュータ２からキャリブレーションＩＤを送って、複合装置１内のキャリブレーションの設定を変更することができる。
【００６２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６３】
設置環境の温・湿度等の環境条件や経時変化によって印刷特性の変化に対して、安価にかつ高精度なキャリブレーションを支援するキャリブレーション支援プログラム及び複合装置に適用することができる。
【図面の簡単な説明】
【００６４】
【図１】本実施例のキャリブレーション支援プログラム及び複合装置の一実施例を適用したプリントシステムのシステム構成図。
【図２】図１のコンピュータによるキャリブレーション支援・実施処理を示すフローチャート。
【図３】図２のキャリブレーション支援・実施処理でコンピュータのディスプレイに表示されるプリンタドライバの操作画面の一例を示す図。
【符号の説明】
【００６５】
ＰＳ  プリントシステム
１  複合装置
２  コンピュータ
ＮＷ  ネットワーク
１０  測定チャート
１０ａ  リファレンスチャート領域
１１  リファレンスチャート
２Ｇ  操作画面
【図１】
2006253743.tif 000003
【図２】
2006253743.tif 000004
【図３】
2006253743.tif 000005